【手続補正書】
【提出日】平成21年6月19日(2009.6.19)
【手続補正１】
【補正対象書類名】特許請求の範囲
【補正対象項目名】全文
【補正方法】変更
【補正の内容】
【特許請求の範囲】
【請求項１】
中心開口を有する円盤形状の光学ディスクの記録再生を行うピックアップ機構を有したディスク駆動装置に搭載され、前記光学ディスクを着脱自在に行うチャッキング装置を有するブラシレスモータであって、
当該ブラシレスモータのモータ部は、
回転軸に沿って回転するシャフトと、該シャフトに固定された有蓋円筒形状のロータホルダと、該ロータホルダの円筒部に固定されたロータマグネットと、を有する回転部と、
前記シャフトを回転自在に支持するスリーブと、該スリーブを保持するスリーブ保持部材と、該スリーブ保持部材に固定されたステータと、を有する固定部と、
を備え、
前記ロータホルダの蓋部の上面に配置される前記チャッキング装置は、
前記シャフトに対して軸方向に移動自在な摺動部と、前記光学ディスクの前記中心開口の内周面に当接するディスク当接部と、を有するコーン部材と、
前記光学ディスクを載置するディスク載置面と、バランス部材と、該バランス部材を保持する環状の空洞部と、前記コーン部材を収容する収容凹部を有するターンテーブル部材と、
前記ターンテーブル部材と前記コーン部材との軸方向の間に配置され、前記コーン部材を軸方向上側に付勢する弾性部材と、
を備え、
前記空洞部は前記ディスク載置面より径方向内側に形成されることを特徴とするブラシレスモータ。
【請求項２】
前記空洞部の径方向外側を形成する外壁の外周面の外径が前記ロータホルダの最外径に対して略同一径または内側に位置することを特徴とする請求項１に記載のブラシレスモータ。
【請求項３】
前記空洞部の軸方向下側には、前記空洞部を塞ぐプレートが固定されており、前記プレートの前記空洞部側の面には前記バランス部材の移動経路となるスペーサが配置されており、
前記移動経路の径が、前記ディス載置面の内径よりも小さいことを特徴とする請求項１または請求項２に記載のブラシレスモータ。
【請求項４】
前記ターンテーブル部材は、樹脂材料にて成形され、
前記空洞部と前記収容凹部とは径方向にほぼ隣接して配置されており、
前記空洞部のうち前記収容凹部に最も近接する部位が軸方向に対して傾斜する形状に形成されていることを特徴とする請求項１乃至請求項３のいずれかに記載のブラシレスモータ。
【請求項５】
前記ターンテーブル部材は、樹脂材料にて成形され、
前記収容凹部と前記空洞部との間に形成される前記空洞部の内壁の幅が前記ターンテーブル部材の他の部位に対して極端に狭くなることを防止するために、前記空洞部のうち前記収容凹部に最も近接する部位が軸方向に対して傾斜する形状に形成されていることを特徴とする請求項１乃至請求項３のいずれかに記載のブラシレスモータ。
【請求項６】
前記ターンテーブル部材は、樹脂材料にて成形され、
前記収容凹部には、
前記コーン部材の前記ディスク当接部を収容する第一収容部と、
前記第一収容部より径方向内側に形成され、前記弾性部材と当接する第二収容部と、
を有し、
前記空洞部と前記第一収容部とは径方向にほぼ隣接して配置されており、
前記空洞部のうち前記第一収容部に最も近接する部位が軸方向に対して傾斜する形状に形成されていることを特徴とする請求項１乃至請求項３のいずれかに記載のブラシレスモータ。
【請求項７】
前記ロータホルダの前記蓋部および前記円筒部を連結する位置には、径方向内側に向かい凹む段部が形成され、
前記空洞部は、前記蓋部の外周縁と軸方向に重なるように形成されることを特徴とする請求項１乃至請求項６のいずれかに記載のブラシレスモータ。
【請求項８】
前記空洞部の下端面には、前記ロータホルダの前記蓋部と当接し、前記空洞部を密閉する蓋部材が固定され、
前記ターンテーブル部材には前記蓋部材の外周縁と軸方向および径方向の位置を決める位置決め段部が形成され、
前記蓋部材の外周部と前記段部とは、軸方向に重なり、前記位置決め段部の径方向外側は、前記ロータホルダの前記蓋部より軸方向下側にまで形成されることを特徴とする請求項１乃至請求項７のいずれかに記載のブラシレスモータ。
【請求項９】
前記ターンテーブル部材と前記ロータホルダとは接着によって固定され、
前記ターンテーブル部材における前記ロータホルダの前記蓋部との当接部位には、軸方向下側に開口する凹形状の接着充填部が形成されることを特徴とする請求項１乃至請求項８のいずれかに記載のブラシレスモータ。
【請求項１０】
前記ターンテーブル部材における前記接着充填部は、
環状の第一凹部と、
該凹部から放射状に複数延びる複数の第二凹部と、
を備えていることを特徴とする請求項９に記載のブラシレスモータ。
【請求項１１】
当該ブラシレスモータは、回転数が毎分約６，０００回転以上において、前記光学ディスクの記録および再生を行うことを特徴とする請求項１乃至請求項１０のいずれかに記載のブラシレスモータ。
【請求項１２】
当該ブラシレスモータは、高速回転の回転情報を読み取る高速回転用位置検出機構と、
低速回転の回転情報を読み取る低速回転用位置検出機構と、
を有することを特徴とする請求項１乃至請求項１１のいずれかに記載のブラシレスモータ。
【請求項１３】
前記低速回転用位置検出機構は、前記光学ディスクの裏面に形成された回転情報であるパターン形成部を光学的に読み取ることによって、回転制御を行うことを特徴とする請求項１２に記載のブラシレスモータ。
【請求項１４】
前記光学ディスクの記録再生を行うディスク駆動装置であって、
前記光学ディスクの記録再生を行う記録再生部と、前記記録再生部の移動を担う光ピックアップ駆動部と、を有する光ピックアップ機構と、
請求項１乃至請求項１３のいずれかに記載のブラシレスモータと、
これらを収容し、前記光学ディスクの挿入および取り出しを行う開口部を有する筺体と、
を備えることを特徴とするディスク駆動装置。
【請求項１５】
当該ブラシレスモータにおける前記ターンテーブル部の前記ディスク載置面の軸方向下側には、前記記録再生部の少なくとも一部を径方向に収容する収容空間が形成されることを特徴とする請求項１４に記載のディスク駆動装置。
【請求項１６】
前記光ピックアップ機構における前記記録再生部は、その移動方向に異なる複数のレンズを配置したことを特徴とする請求項１４または請求項１５に記載のディスク駆動装置。
【手続補正２】
【補正対象書類名】明細書
【補正対象項目名】００１１
【補正方法】変更
【補正の内容】
【００１１】
本発明の請求項１によれば、中心開口を有する円盤形状の光学ディスクの記録再生を行うピックアップ機構を有したディスク駆動装置に搭載され、前記光学ディスクを着脱自在に行うチャッキング装置を有するブラシレスモータであって、当該ブラシレスモータのモータ部は回転軸に沿って回転するシャフトと該シャフトに固定された有蓋円筒形状のロータホルダと該ロータホルダの円筒部に固定されたロータマグネットとを有する回転部と、前記シャフトを回転自在に支持するスリーブと該スリーブを保持するスリーブ保持部材と該スリーブ保持部材に固定されたステータとを有する固定部とを備え、前記ロータホルダの蓋部の上面に配置される前記チャッキング装置は、前記シャフトに対して軸方向に移動自在な摺動部と前記光学ディスクの前記中心開口の内周面に当接するディスク当接部とを有するコーン部材と、前記光学ディスクを載置するディスク載置面とバランス部材と該バランス部材を保持する環状の空洞部と前記コーン部材を収容する収容凹部を有するターンテーブル部材と、前記ターンテーブル部材と前記コーン部材との軸方向の間に配置され、前記コーン部材を軸方向上側に付勢する弾性部材とを備え、前記空洞部は前記ディスク載置面より径方向内側に形成されることを特徴とする。
【手続補正３】
【補正対象書類名】明細書
【補正対象項目名】００１３
【補正方法】変更
【補正の内容】
【００１３】
本発明の請求項６によれば、請求項１乃至請求項３のいずれかに係り、前記ターンテーブル部材は樹脂材料にて成形され、前記収容凹部には、前記コーン部材の前記ディスク当接部を収容する第一収容部と前記第一収容部より径方向内側に形成され、前記弾性部材と当接する第二収容部とを有し、前記空洞部と前記第一収容部とは径方向にほぼ隣接して配置されており、前記空洞部のうち前記第一収容部に最も近接する部位が軸方向に対して傾斜する形状に形成されることを特徴とする。
【手続補正４】
【補正対象書類名】明細書
【補正対象項目名】００１４
【補正方法】変更
【補正の内容】
【００１４】
本発明の請求項６に従えば、ディスク載置面よりも径方向内側に空洞部が形成されるために、第一収容部と空洞部とは径方向に隣接する形状となってしまう。その結果、空洞部と第一収容部との間が極端に狭くなってしまう。そのために、空洞部と第一収容部との間の樹脂材料の湯流れが悪化してしまい、成形不良を発生する問題がある。しかしながら、空洞部と第一収容部との間に空洞部の断面積を縮小するような空洞縮小部が形成されることによって、空洞部と第一収容部との間を広くすることができ、成形不良の発生を防止することができる。
【手続補正５】
【補正対象書類名】明細書
【補正対象項目名】００１５
【補正方法】変更
【補正の内容】
【００１５】
本発明の請求項７によれば、請求項１乃至請求項６のいずれかに係り、前記ロータホルダの前記蓋部および前記円筒部を連結する位置には、径方向内側に向かい凹む段部が形成され、前記空洞部は、前記蓋部の外周縁と軸方向に重なるように形成されることを特徴とする。
【手続補正６】
【補正対象書類名】明細書
【補正対象項目名】００１６
【補正方法】変更
【補正の内容】
【００１６】
本発明の請求項７に従えば、ロータホルダにおいて最も剛性が弱くなる蓋部の外周縁に段部が形成されることによって、剛性を向上させることができる。したがって、剛性不足による蓋部の撓みを防止することができる。その上、この蓋部の外周縁に空洞部が配置されることによって、バランス補正機能を最も効率良く機能させつつ、蓋部の撓みによる空洞部の変形のないブラシレスモータを提供することができる。したがって、空洞部の撓みによる振動および騒音を防止することができる。
【手続補正７】
【補正対象書類名】明細書
【補正対象項目名】００１７
【補正方法】変更
【補正の内容】
【００１７】
本発明の請求項８によれば、請求項１乃至請求項７のいずれかに係り、前記空洞部の下端面には、前記ロータホルダの前記蓋部と当接し、前記空洞部を密閉する蓋部材が固定され、前記ターンテーブル部材には前記蓋部材の外周縁と軸方向および径方向の位置を決める位置決め段部が形成され、前記蓋部材の外周部と前記段部とは、軸方向に重なり、前記位置決め段部の径方向外側は、前記ロータホルダの前記蓋部より軸方向下側にまで形成されることを特徴とする。
【手続補正８】
【補正対象書類名】明細書
【補正対象項目名】００１８
【補正方法】変更
【補正の内容】
【００１８】
本発明の請求項８に従えば、蓋部材によって、空洞部を密閉することによってバランス部材の移動音等の騒音を空洞部の外部に漏れることを防止することができる。さらに蓋部材との軸方向の位置を決める位置決め段部を設けることによって、さらに密閉性能を向上させることができる。その上、位置決め段部の径方向外側を蓋部より軸方向下側にまで形成されることによって、蓋部材の外周縁をより確実に密閉することができるので、密閉性能を向上させることができる。また位置決め段部の径方向外側をロータホルダの段部と軸方向に重なるように配置することによって、位置決め段部が蓋部より軸方向下側に延びても蓋部と蓋部材とが良好に当接することができる。
【手続補正９】
【補正対象書類名】明細書
【補正対象項目名】００１９
【補正方法】変更
【補正の内容】
【００１９】
本発明の請求項９によれば、請求項１乃至請求項８のいずれかに係り、前記ターンテーブル部材と前記ロータホルダとは接着によって固定され、前記ターンテーブル部材における前記ロータホルダの前記蓋部との当接部位には、軸方向下側に開口する凹形状の接着充填部が形成されることを特徴とする。
【手続補正１０】
【補正対象書類名】明細書
【補正対象項目名】００２０
【補正方法】変更
【補正の内容】
【００２０】
本発明の請求項１０によれば、請求項９に係り、前記ターンテーブル部材における前記接着充填部は、環状の第一凹部と、該凹部から放射状に複数延びる複数の第二凹部と、を備えていることを特徴とする。
【手続補正１１】
【補正対象書類名】明細書
【補正対象項目名】００２１
【補正方法】変更
【補正の内容】
【００２１】
本発明の請求項９乃至請求項１０のいずれかによれば、バランス部材を有するブラシレスモータでは、ターンテーブル部材の振動がバランス部材を有していないブラシレスモータと比較して大きいので、ロータホルダとターンテーブル部材との締結力の向上は重要である。ターンテーブル部材の下面に接着剤充填部を設けることによって十分な接着剤を充填することができるので、ターンテーブル部材とロータホルダとの締結力を向上させることができる。さらに接着剤充填部が環状の第一凹部および第一凹部から放射状に延びる複数の第二凹部を備えることによって、接着剤を効率良く、且つ広範囲に塗布することができる。したがって、ロータホルダとターンテーブル部材との締結力を向上させることができる。特にコーン部材が軸方向に摺動して記録ディスクを調芯するチャッキング装置では、ターンテーブル部材とシャフトとの締結する軸方向の長さを減少させることによってブラシレスモータの小型化および薄型化を図っている。したがって、ターンテーブル部材とシャフトとの締結力は大幅に減少している。その結果、ターンテーブル部材は、バランス部材の移動によって発生する振動によってシャフトに対して空回りしてしまう可能性がある。しかしながら、ロータホルダとターンテーブル部材とを接着剤にて締結することによって、ロータホルダに対してターンテーブル部材が空回りすることを防ぐことができる。したがって、ロータホルダはシャフトに対して十分な締結力を有しているので、ターンテーブル部材がシャフトに対して空回りすることを防ぐことができる。
【手続補正１２】
【補正対象書類名】明細書
【補正対象項目名】００２２
【補正方法】変更
【補正の内容】
【００２２】
本発明の請求項１１によれば、請求項１乃至請求項１０のいずれかに係り、当該ブラシレスモータは、回転数が毎分約６，０００回転以上において、前記光学ディスクの記録および再生を行うことを特徴とする。
【手続補正１３】
【補正対象書類名】明細書
【補正対象項目名】００２３
【補正方法】変更
【補正の内容】
【００２３】
本発明の請求項１１に従えば、光学ディスクの中心開口部のほぼ全周を当接するコーン部材にて光学ディスクを調芯および保持することによって、光学ディスクの中心開口部の一部のみを当接する調芯爪では、約毎分６，０００回転以上において発生していた光学ディスクの位置ずれを防止することができる。その結果、回転数が毎分約６，０００回転以上において光学ディスクを記録および再生をする際に、光学ディスクの位置ずれによる記録および再生エラーを防止することができる。したがって、本発明のブラシレスモータは、光学ディスクを毎分約６，０００回転以上にて記録および再生することに好適である。
【手続補正１４】
【補正対象書類名】明細書
【補正対象項目名】００２４
【補正方法】変更
【補正の内容】
【００２４】
本発明の請求項１２によれば、請求項１乃至請求項１１のいずれかに係り、当該ブラシレスモータは、高速回転の回転情報を読み取る高速回転用位置検出機構と、低速回転の回転情報を読み取る低速回転用位置検出機構とを有することを特徴とする。
【手続補正１５】
【補正対象書類名】明細書
【補正対象項目名】００２５
【補正方法】変更
【補正の内容】
【００２５】
本発明の請求項１３によれば、請求項１２に係り、前記低速回転用位置検出機構は、前記光学ディスクの裏面に形成された回転情報であるパターン形成部を光学的に読み取ることによって、回転制御を行うことを特徴とする。
【手続補正１６】
【補正対象書類名】明細書
【補正対象項目名】００２６
【補正方法】変更
【補正の内容】
【００２６】
本発明の請求項１２または請求項１３に従えば、本発明のブラシレスモータは、毎分数十回転から毎分１万回転付近までの回転速度範囲にて使用される。そのために、通常の位置検出機構では、この回転速度範囲に十分に追従できない。しかしながら、高速回転用位置検出機構および低速回転用位置検出機構を備えることによって、この回転速度範囲に対して十分に追従することができる。
【手続補正１７】
【補正対象書類名】明細書
【補正対象項目名】００２７
【補正方法】変更
【補正の内容】
【００２７】
本発明の請求項１４によれば、前記光学ディスクの記録再生を行うディスク駆動装置であって、前記光学ディスクの記録再生を行う記録再生部と、前記記録再生部の移動を担う光ピックアップ駆動部と、を有する光ピックアップ機構と、請求項１乃至請求項１３のいずれかに記載のブラシレスモータと、これらを収容し、前記光学ディスクの挿入および取り出しを行う開口部を有する筺体とを備えることを特徴とする。
【手続補正１８】
【補正対象書類名】明細書
【補正対象項目名】００２８
【補正方法】変更
【補正の内容】
【００２８】
本発明の請求項１５によれば、請求項１４に係り、当該ブラシレスモータにおける前記ターンテーブル部材の前記ディスク載置面の軸方向下側には、前記記録再生部の少なくとも一部を径方向に収容する収容空間が形成されることを特徴とする。
【手続補正１９】
【補正対象書類名】明細書
【補正対象項目名】００２９
【補正方法】変更
【補正の内容】
【００２９】
本発明の請求項１６によれば、請求項１１乃至請求項１５のいずれかに係り、前記光ピックアップ機構における前記記録再生部は、その移動方向に異なる複数のレンズを配置したことを特徴とする。
【手続補正２０】
【補正対象書類名】明細書
【補正対象項目名】００３０
【補正方法】変更
【補正の内容】
【００３０】
本発明の請求項１４乃至請求項１６のいずれかに従えば、光ピックアップ機構の記録再生部においてその移動方向に異なる複数のレンズを配置することによって、ＨＤ−ＤＶＤやＢｌｕ−ｒａｙの異なる規格の光学ディスクを一つのディスク駆動装置にて記録再生を行うことができる。また移動方向に異なる複数のレンズを配置することによって、光学ディスクの所定の記録再生領域に対して、ブラシレスモータに対して遠い側のレンズが記録再生領域の最も径方向内側を記録再生する場合には、ブラシレスモータに対して近い側のレンズは、記録再生領域の最も径方向内側よりもさらに径方向内側に配置されてしまう。しかしながら、ターンテーブル部材のディスク載置面の軸方向下側に記録再生部の一部を収容する収容空間を形成することによって、ブラシレスモータに対して近い側のレンズも記録再生領域の最も径方向内側よりさらに径方向内側に移動することが可能となる。